(57)【要約】      （修正有）【課題】身長を正確に測定できる身長測定器を提供する。【解決手段】スケール面３に移動可能に位置決めすることに用いられる身長測定器であって、該身長測定器は、支持構造１０及び測定部材２０を含み、支持構造１０は、繰り返しスケール面３に貼付又はスケール面３から除去することができ、測定部材２０は支持構造１０に組み付けられ、且つスケール面３に対して垂直方向に延伸可能である。支持構造１０は、載置板１１及び該載置板１１から延伸する延伸板１２を含み、且つ該載置板１１は、該スケール面３上で繰り返し移動することができる。【選択図】図４
0003210916.tif 000002
【実用新案登録請求の範囲】
【請求項１】
スケール面に移動可能に位置決めすることに用いられる身長測定器であって、該身長測定器は、
繰り返し該スケール面に貼付又は該スケール面から取り除くことができる支持構造と、
該支持構造に組み付けられ、該支持構造に相対して支持構造よりの収縮位置及び該スケール面に垂直な展開位置を有する身長測定器。
【請求項２】
前記支持構造は、載置板及び該載置板から延伸する延伸板を含み、且つ該載置板は、該スケール面上で繰り返し移動することができる請求項１に記載の身長測定器。
【請求項３】
前記載置板は、複数のローラを有し、且つ該ローラ表面にそれぞれ該スケール面に繰り返し貼付できる接着層を有する請求項２に記載の身長測定器。
【請求項４】
前記載置板は、該スケール面に繰り返し磁性接続可能な少なくとも１つの磁性部材を有する請求項２に記載の身長測定器。
【請求項５】
前記載置板は、第１取り付け面を有し、該延伸板は、第２取り付け面を有し、且つ距離測定器は、該第１取り付け面に取り付けられ、該測定部材は、該第２取り付け面に取り付けられる請求項２に記載の身長測定器。
【請求項６】
前記距離測定器は、光学距離測定器である請求項５に記載の身長測定器。
【請求項７】
前記距離測定器は、電子距離測定器である請求項５に記載の身長測定器。
【請求項８】
前記測定部材は、巻き取り可能な巻き尺である請求項１に記載の身長測定器。
【請求項９】
前記測定部材は、伸縮可能なロッド体である請求項１に記載の身長測定器。
【請求項１０】
前記載置板は、該延伸板から離れる他端に頭部を設置し、該頭部及び該延伸板の間に収容空間を形成し、該測定部材は、収縮位置に位置する時、該測定部材を該収容空間の中に位置させる請求項２に記載の身長測定器。
【請求項１１】
前記頭部は、少なくとも１つの筆記具を設置し、該筆記具は、取り外し可能に該頭部上に組み付けられ、該筆記具は、該スケール面に書き込むことに用いられる請求項１０に記載の身長測定器。
【考案の詳細な説明】
【技術分野】
【０００１】
本考案は、測定器に関し、特に、身長測定器に関する。
【背景技術】
【０００２】
従来使用する床置き式身長測定計器は、使用者が身長測定計器に立った後、身長測定計器上のスケールによって足底を基準スケールとして上向きに頭部上端まで測定し、精確な伸長を得ることができ、しかしながら、上記身長測定計器の体積は大きく、且つ価格が高く、一般人は、家の中に上記の身長測定計器を準備することはなく、身長を測定したい場合、病院又は身長測定計器が供えられた場所へ行って測定する必要があり、また、更には費用を支払って使用し、このように、時間及び金銭の浪費を招き、家庭の子供の発育は両親の関心事であり、如何に正確な伸長を測定し、且つ身長測定計器の体積を縮小して一般家庭で適用されるようするかは、現在解決すべき問題となっている。
【先行技術文献】
【特許文献】
【０００３】
【特許文献１】特開2005-168739号公報
【考案の概要】
【考案が解決しようとする課題】
【０００４】
本考案は、身長測定器、特に、支持構造及び測定部材の組み合わせ設計を利用してなる身長測定器を提供し、各種スケール面を有する物体に用い、身長を精確に測定できるようにする。
【課題を解決するための手段】
【０００５】
上記目的を達成するため、本考案は、身長測定器であり、スケール面に移動可能に位置決めすることに用いられ、身長測定器は、支持構造及び測定部材を含み、そのうち、支持構造は、繰り返しスケール面に貼付又はスケール面から除去することができ、測定部材は、支持構造に組み付けられ、且つ支持構造に相対して支持構造より収縮位置大尾スケール面に垂直な展開位置を有する。
【考案の効果】
【０００６】
本考案の身長測定器は、各種スケール面を有する物体に用い、身長を精確に測定できる。
【図面の簡単な説明】
【０００７】
【図１】本考案の第１実施例の外観説明図である。
【図２】本考案の第１実施例の分解説明図である。
【図３】本考案の第１実施例の使用の外観説明図である。
【図４】本考案の第１実施例の使用の側面説明図である。
【図５】本考案の第２実施例の分解説明図である。
【図６】本考案の第２実施例の側面説明図である。
【図７】本考案の第３実施例の分解説明図である。
【図８】本考案の第３実施例の外観説明図である。
【図９】本考案の第４実施例の分解説明図である。
【図１０】本考案の第４実施例の分解説明図である。
【図１１】本考案の第５実施例の分解説明図である。
【考案を実施するための形態】
【０００８】
本考案の特徴、特長及び技術内容を更に分かり易くするため、以下の本考案の実施例に関する詳細な説明及び図面を参照するが、図面は、ただ本考案の実施例の説明用であり、本考案を制限するものではない。
【０００９】
図１〜図４を参照し、それは、本考案の第１実施例の身長測定器であり、身長測定器は、スケール面３に移動可能に位置決めされ、スケール面３の本実施例において、磁性物体４の表面として設けられ、磁性物体４は、冷蔵庫又はドア等であることができるが、実際の使用時、非磁性物体、壁、クローゼット又は本棚等であれば、鉄紙、鉄薄片又は鉄シート等の磁性の材料を非磁性物体表面に貼付することによって、非磁性物体の表面に磁性をもたせることができ、例えば、鉄紙を壁上に貼付するか、鉄薄片を内部に有する身長尺壁をクローゼット又は本棚上に貼付することができる。
【００１０】
身長測定器は、支持構造１０及び測定部材２０を含み、そのうち、支持構造１０は、載置板１１及び載置板１１から延伸する延伸板１２を含み、載置板１１は、少なくとも１つの磁性部材１３を有し、スケール面３上に繰り返し磁性接続することができ、載置板１１を繰り返しスケール面３に貼付するか、スケール面３から取り外すことができ、即ち、スケール面３上で繰り返し移動することができる。
【００１１】
測定部材２０は、支持構造１０に組み付けられ、且つ支持構造１０に相対して支持構造１０よりの収縮位置ａ及びスケール面３に垂直な展開位置ｂを有し、本実施例において、測定部材２０は、巻き取り可能な巻き尺として設け、巻き尺が巻き取られ、支持構造に寄せられる時、それは、測定部材２０の収縮位置ａであり、巻き尺が移動的に収縮位置ａから離れる方向に延伸する時、それは、測定部材２０の展開位置ｂである。
【００１２】
更に、載置板１１の延伸板１２から離れる一端に頭部１８を設置し、頭部１８及び延伸板１２の間に収容空間１９を形成し、測定部材２０が巻き取られ且つ収縮位置に位置する時、測定部材２０を収容空間１９の中に位置させることができる（図１及び図６参照）。また、頭部に少なくとも１つの筆記具１８１を設置でき、筆記具１８１は、着脱可能に頭部１８上に取り付けられ、本実施例において、使用者は、筆記具１８１により測定が完成した身長をスケール面３にマークでき、記録及び設置、携帯に便利な効果を達成する。
【００１３】
図５及び図６を参照し、それは、本考案の第２実施例の身長測定器であり、身長測定器は、スケール面３に移動可能に位置決めされ、スケール面３は、本実施例において、非磁性物体５の表面として設けられ、非磁性物体５は、木製ドア又はテレビラック等であることができ、非磁性物体５の実際の操作時、スケール面３を有する身長測定定規６を非磁性物体５表面に貼付することで、非磁性物体５表面に測定可能なスケール標準をもたせることができ、例えば、紙で作成された身長測定定規６を壁に貼付するか、ＰＶＣで作成された身長測定定規６をテレビラックに貼付することができる。
【００１４】
身長測定器は、支持構造１０及び測定部材２０を含み、そのうち、支持構造１０は、載置板１１及び載置板１１から延伸する延伸板１２を含み、載置板１１は、複数のローラ１４は、スケール面３上で繰り返し移動することができ、各ローラ表面は、それぞれ接着層１５を有し、スケール面３上に接続し、載置板１１を繰り返しスケール面３に貼付又はスケール面３から取り除くことができる。
【００１５】
測定部材２０は、支持構造１０に取り付けられ、且つ支持構造１０に相対して支持構造１０よりの収縮位置ａ（同時に図５参照）及びスケール面３に垂直な展開位置ｂを含み、本実施例において、測定部材２０は、巻き取り可能な巻き尺として設けられ、巻き尺が巻き取られ、支持構造１０による時、それは、測定部材２０の収縮位置ａであり、巻き尺が移動的に収縮位置ａから離れる方向へ延伸する時、それは、測定部材２０の展開位置ｂである。
【００１６】
図７及び図８を参照し、それは、本考案の第３実施例の身長測定器であり、身長測定器は、スケール面３に移動可能に位置決めされ、スケール面３は、本実施例において、磁性物体４の表面として設けられ、磁性物体４は、冷蔵庫又はドア等であることができるが、実際の使用時、非磁性物体、例えば、壁、クローゼット又は本棚等であっても、鉄紙、鉄フィルム又は鉄シート等の磁性を有する材料を非磁性物体表面に貼付することによって、非磁性物体の表面に自制を持たせ、例えば、鉄紙を壁に貼付するか、鉄フィルムを内部に有する身長尺壁をクローゼット又は本棚上に貼付する。
【００１７】
身長測定器は、支持構造１０及び測定部材２０を含み、そのうち、支持構造１０は、載置板１１及び載置板１１から延伸する延伸板１２を含み、載置板１１は、少なくとも１つの磁性部材１３を有し、繰り返しスケール面３に貼付又はスケール面３から除去でき、スケール面３上で繰り返し移動することができる。
【００１８】
載置板１１は、第１取り付け面１６を有し、且つ延伸板１２は、第２取り付け面１７を有し、測定部材２０は、第２取り付け面１７に組み付けられ、且つ支持構造１０に相対して支持構造１０よりの収縮位置ａ（同時に図５を参照）及びスケール面３に垂直な展開位置ｂを有し、本実施例において、測定部材２０は、巻き取り可能な巻き尺として設け、巻き尺が巻き取られ、支持構造に寄せられる時、それは、測定部材２０の収縮位置ａであり、巻き尺が移動的に収縮位置ａから離れる方向に延伸する時、それは、測定部材２０の展開位置ｂである。
【００１９】
本実施例において、載置板１１の第１取り付け面１６は、距離測定器７を取り付け、距離測定器７は、本実施例において、電子距離測定器として設けられるが、これは、ただ実施例の列挙であり、実際の使用時、その他の適合する距離測定器７、例えば、光学距離測定器等を使用することもできる。距離測定器７は、カウント輪７０、設定ボタン７１及び表示スクリーン７２を有し、カウント輪７０は、延伸板１２を計算し、上又は下へ移動する距離を計算することに用いられ、設定ボタン７１は、距離測定器７のリセット及びスイッチオフオンを行うことに用いることができ、表示スクリーン７２は、測定の結果を表示することに用いられる。距離測定器７の実際の操作時、距離測定器７を初期位置に移動させ、設定ボタン７１を短く押し、距離測定器７に初期位置を記憶させ、初期位置を基準とし、延伸板１２が上又は下向きに既定距離を移動する時、カウント輪７０が延伸板１２の移動した既定距離を計算し、距離測定器７が記憶した初期位置と計算し、最後に結果を表示スクリーン７２に表示し、測定終了後、設定ボタン７１を長押しして距離測定器７をオフにする。
【００２０】
図９及び図１０を参照し、それは、本考案の第４実施例の身長測定器であり、身長測定器は、スケール面３に移動可能に位置決めし、スケール面３は、本実施例において、非磁性物体５の表面として設定し、非磁性物体５は、木製ドア又はテレビラック等であることができ、非磁性物体５の実際の操作時、スケール面３を有する身長測定定規６を非磁性物体５表面に貼付することで、非磁性物体５表面に測定可能なスケール標準をもたせることができ、例えば、紙で作成された身長測定定規６を壁に貼付するか、ＰＶＣで作成された身長測定定規６をテレビラックに貼付することができる。
【００２１】
身長測定器は、支持構造１０及び測定部材２０を含み、そのうち、支持構造１０は、載置板１１及び載置板１１から延伸する延伸板１２を含み、載置板１１は、複数のローラ１４は、スケール面３上で繰り返し移動することができ、各ローラ表面は、それぞれ接着層１５を有し、スケール面３上に接続し、載置板１１を繰り返しスケール面３に貼付又はスケール面３から取り除くことができる。
【００２２】
載置板１１は、第１取り付け面１６を有し、且つ延伸板１２は、第２取り付け面１７を有し、測定部材２０は、第２取り付け面１７に組み付けられ、且つ支持構造１０に相対して支持構造１０よりの収縮位置ａ（同時に図５を参照）及びスケール面３に垂直な展開位置ｂを有し、本実施例において、測定部材２０は、巻き取り可能な巻き尺として設け、巻き尺が巻き取られ、支持構造に寄せられる時、それは、測定部材２０の収縮位置ａであり、巻き尺が移動的に収縮位置ａから離れる方向に延伸する時、それは、測定部材２０の展開位置ｂである。
【００２３】
本実施例において、載置板１１の第１取り付け面１６は、距離測定器７を取り付け、距離測定器７は、本実施例において、電子距離測定器として設けられるが、これは、ただ実施例の列挙であり、実際の使用時、その他の適合する距離測定器７、例えば、光学距離測定器等を使用することもできる。距離測定器７は、カウント輪７０、設定ボタン７１及び表示スクリーン７２を有し、カウント輪７０は、延伸板１２を計算し、上又は下へ移動する距離を計算することに用いられ、設定ボタン７１は、距離測定器７のリセット及びスイッチオフオンを行うことに用いることができ、表示スクリーン７２は、測定の結果を表示することに用いられる。距離測定器７の実際の操作時、距離測定器７を初期位置に移動させ、設定ボタン７１を短く押し、距離測定器７に初期位置を記憶させ、初期位置を基準とし、延伸板１２が上又は下向きに既定距離を移動する時、カウント輪７０が延伸板１２の移動した既定距離を計算し、距離測定器７が記憶した初期位置と計算し、最後に結果を表示スクリーン７２に表示し、測定終了後、設定ボタン７１を長押しして距離測定器７をオフにする。
【００２４】
図１１を参照し、それは、本考案の第５実施例の身長測定器であり、身長測定器は、スケール面３に移動可能に位置決めされ、スケール面３は、本実施例において、磁性物体４の表面として設けられ、磁性物体４は、冷蔵庫又はドア等であることができるが、実際の使用時、非磁性物体、例えば、壁、クローゼット又は本棚等であっても、鉄紙、鉄フィルム又は鉄シート等の磁性を有する材料を非磁性物体表面に貼付することによって、非磁性物体の表面に自制を持たせ、例えば、鉄紙を壁に貼付するか、鉄フィルムを内部に有する身長尺壁をクローゼット又は本棚上に貼付する。
【００２５】
身長測定器は、支持構造１０及び測定部材２０を含み、そのうち、支持構造１０は、載置板１１及び載置板１１から延伸する延伸板１２を含み、載置板１１は、少なくとも１つの磁性部材１３を有し、スケール面３上に繰り返し磁性接続することができ、載置板１１を繰り返しスケール面３に貼付するか、スケール面３から取り外すことができ、即ち、スケール面３上で繰り返し移動することができる。
【００２６】
測定部材２０は、支持構造１０に組み付けられ、且つ支持構造１０に相対して支持構造１０よりの収縮位置ａ及びスケール面３に垂直な展開位置ｂを有し、本実施例において、測定部材２０は、伸縮式ロッド体として設け、伸縮式ロッド体が収縮し、支持構造に寄せられる時、それは、測定部材２０の収縮位置ａであり、伸縮式ロッド体が移動的に収縮位置ａから離れる方向に延伸する時、それは、測定部材２０の展開位置ｂである。伸縮式ロッド体は、ただ本実施例の列挙であり、実際の使用時は、その他の適合する構造を使用することもできる。
【００２７】
これにより、身長測定定規６、支持構造１０及び測定部材２０の組み合わせ設計によって、本考案は、各種スケール面３を有する物体に用いて身長を測定することができ、距離測定器７の運用を組み合わせ、更に測定の精確率を向上することができる。
【００２８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２９】
１０  支持構造
１１  載置板
１２  延伸板
１３  磁性部材
１４  ローラ
１５  接着層
１６  第１取り付け面
１７  第２取り付け面
１８  頭部
１８１  筆記具
１９  収容空間
２０  測定部材
３  スケール面
４  磁性物体
５  非磁性物体
６  身長定規
７  距離計
７１  設定ボタン
７２  表示スクリーン
ａ  収縮位置
ｂ  展開位置
【図１】
0003210916.tif 000003
【図２】
0003210916.tif 000004
【図３】
0003210916.tif 000005
【図４】
0003210916.tif 000006
【図５】
0003210916.tif 000007
【図６】
0003210916.tif 000008
【図７】
0003210916.tif 000009
【図８】
0003210916.tif 000010
【図９】
0003210916.tif 000011
【図１０】
0003210916.tif 000012
【図１１】
0003210916.tif 000013
【手続補正書】
【提出日】平成29年4月10日(2017.4.10)
【手続補正１】
【補正対象書類名】実用新案登録請求の範囲
【補正対象項目名】全文
【補正方法】変更
【補正の内容】
【実用新案登録請求の範囲】
【請求項１】
スケール面に移動可能に位置決めすることに用いられる身長測定器であって、
該身長測定器は、支持構造及び測定部材を含み、
前記支持構造は、繰り返しスケール面に貼付又はスケール面から除去することができ、
前記測定部材は前記支持構造に組み付けられ、且つスケール面に対して垂直方向に延伸可能であることを特徴とする、身長測定器。
【請求項２】
前記支持構造は、載置板及び該載置板から延伸する延伸板を含み、且つ該載置板は、該スケール面上で繰り返し移動することができる請求項１に記載の身長測定器。
【請求項３】
前記載置板は、複数のローラを有し、且つ該ローラ表面にそれぞれ該スケール面に繰り返し貼付できる接着層を有する請求項２に記載の身長測定器。
【請求項４】
前記載置板は、該スケール面に繰り返し磁性接続可能な少なくとも１つの磁性部材を有する請求項２に記載の身長測定器。
【請求項５】
前記載置板は、第１取り付け面を有し、該延伸板は、第２取り付け面を有し、且つ距離測定器は、該第１取り付け面に取り付けられ、該測定部材は、該第２取り付け面に取り付けられる請求項２に記載の身長測定器。
【請求項６】
前記距離測定器は、光学距離測定器である請求項５に記載の身長測定器。
【請求項７】
前記距離測定器は、電子距離測定器である請求項５に記載の身長測定器。
【請求項８】
前記測定部材は、巻き取り可能な巻き尺である請求項１に記載の身長測定器。
【請求項９】
前記測定部材は、伸縮可能なロッド体である請求項１に記載の身長測定器。
【請求項１０】
前記載置板は、該延伸板から離れる他端に頭部を設置し、該頭部及び該延伸板の間に収容空間を形成し、該測定部材は、収縮位置に位置する時、該測定部材を該収容空間の中に位置させる請求項２に記載の身長測定器。
【請求項１１】
前記頭部は、少なくとも１つの筆記具を設置し、該筆記具は、取り外し可能に該頭部上に組み付けられ、該筆記具は、該スケール面に書き込むことに用いられる請求項１０に記載の身長測定器。